(57)【要約】【課題】製造コストをアップさせる事なく、組立て時の精度アップと作業の簡素化を、同時に実現させる事が可能なディスク装置の調整機構を提供する。【解決手段】調整機構は、円すい形状の位置決め用絞りパンチ１４ｄを有するモータ取付け板１４、位置決めピン２１、２本の角度調整用ビス２３、２４、２個の圧縮スプリング２５、高さ調整板５０、１本の高さ調整用ビス２６、１個の高さ調整用圧縮スプリング２７で構成されている。ディスクの相対角度調整用ビス２３，２４と、高さ調整用ビス２６をそれぞれ設けて、調整機構を独立させた構造とする。【選択図】      図２
2004310946.tif 000002
【特許請求の範囲】
【請求項１】
回転ディスクを保持するターンテーブルを備え、所定の回転数で該ディスクを回転させるスピンドルモータと、
前記ディスクに記録された信号を読み出したり、信号を書き込んだりする光ピックアップと、
前記光ピックアップをディスク半径方向に自在に移動させる案内手段と、
前記スピンドルモータの回転軸と前記案内手段が形成する仮想平面との相対角度調整、及びスピンドルモータのターンテーブル面の絶対高さ調整を行なう調整機構とを備え、
前記ターンテーブル調整手段は、前記スピンドルモータを取り付けるモータ取付け板と、モータ高さ調整板と、上記モータ取付け板の位置決め用案内ボスを有するトラバースシャーシと、介して前記モータ取付け板と前記モータ高さ調整板の間に第１の圧着スプリングを挟んでそれぞれに螺合するチルト調整用のビスと、前記モータ高さ調整板と前記トラバースシャーシの間に第２の圧着スプリングを挟んでそれぞれに螺合する高さ調整用のビスとを備えたことを特徴とするディスク装置。
【請求項２】
前記モータ取付け板と前記モータ高さ調整板に、互いに係合し合う円すい形状を有する位置決め用絞りパンチを設けたことを特徴とする請求項１記載のディスク装置。
【発明の詳細な説明】
【０００１】
【発明の属する技術分野】
本発明は、ＣＤ，ＤＶＤ，ＭＤ等のディスクに用いられるもので、スピンドルモータのターンテーブル面のチルト、及び高さ調整を行なう調整機構を有するディスク装置に関する。
【０００２】
【従来の技術】
昨今のＤＶＤ、ＣＤ等のディスク型記録再生装置においては、通常の回転数より高速でデータを読み取ったり、書き込んだりすることが多くなってきている。特にＤＶＤの場合は、ＣＤ比６倍以上の記録容量を持つため、データの読み込み、書き込みは従来以上に厳しい条件下で行われる事になる。
【０００３】
ディスクに記録されたデータの読み込み、書き込みは、後述の光ピックアップを用いて行なうが、一般的に光ピックアップから出射されるレーザー光の光軸と、レーザー光が照射されるディスク情報面との相対角度を調整することで、読み込まれる信号と、書き込まれる信号の品質が向上する。
【０００４】
ディスクを回転させるスピンドルモータ回転軸と、光ピックアップのディスク半径方向への移動を案内する１組の案内部が作る仮想平面との相対角度が、理想的に９０°の関係にあったとしても、これに取り付けられる個々の光ピックアップから出射されるレーザー光の角度は、それぞれ異なり、そのばらつきも大きい。
【０００５】
そこで、個々の光ピックアップに対して、上記スピンドルモータの取付け面を、上記光ピックアップ案内部に対して調整する手段が考えられる（例えば、特許文献１）。
【０００６】
図３に従来技術のディスク装置の代表的な一例を示す。
回転ディスク１は、図示しないディスク誘導機構によりスピンドルモータ１００のターンテーブル１１０に載せられた後、図示しないマグネット等により発生する吸引力により、ディスククランパ１３０と該ターンテーブル１１０の間で挟まれた状態で、スピンドルモータ１００と一体となって回転する。スピンドルモータ１００は、モータ取付け板１４０に対して、強固に取り付けられており、後述する調整機構を介して、トラバースシャーシ１５０に固定されている。
【０００７】
光ピックアップ１６０のディスク半径方向移動の案内を行なう２本のガイド軸１７０は、４本の固定ビス１８０によりトラバースシャーシ１５０に取付け固定されている。この構造により、光ピックアップ１６０は、該ガイド軸１７０に沿って、光ピックアップ送り手段１９０により駆動され、ディスク半径方向に自在に移動する。
【０００８】
調整機構の構造につき、図４を用いて説明する。
調整機構は、位置決め兼調整用ボス２００、位置決めピン２１０、特殊ビス２２０、２本の調整用ビス２３０，２４０、３個の圧縮スプリング２５０、モータ取付け板１４０で構成されている。
【０００９】
位置決め兼調整用ボス２００、位置決めピン２１０は、それぞれトラバースシャーシ１５０の所定位置にカシメ等により取付け固定されている。モータ取付け板１４０には、位置決め用１４０ａ穴、位置決め用溝１４０ｂ、２個の調整用ネジ穴１４０ｃが設けられている。
【００１０】
図５に示すように、位置決め兼調整用ボス２００の外周に沿って、モータ取付け板１４０のハーフパンチ部１４０ａａが高さ方向に移動可能なように構成されている。その調整可能範囲は、スピンドルモータ１００を持ち上げる方向については、ハーフパンチ部１４０ａａの段差分であり、逆にスピンドルモータ１００を下げる方向については、位置決め兼調整用ボス２００と、モータ取付け板１４０のハーフパンチ部１４０ａａの最小掛かり代、例えば０．３ｍｍを超えない範囲となる。
【００１１】
モータ取付け板１４０と、トラバースシャーシ１５０間には、圧縮スプリング２５０が挟まれており、調整範囲内で所定の予圧を発生するように、そのばね定数が適度に設定されている。該スプリング２５０により、モータ取付け板１４０が３本のビス２２０，２３０，２４０の頭部に押し付けられる事で姿勢の安定が図られている。
又、図５に示すように、トラバースシャーシ１５０には、調整用ビス２３０（２４０）用のハーフパンチ部１５０ａが設けられており、その中央には、絞りタップ部１５０ｂが設けられている。
【００１２】
従来による調整方法の一例につき、図３を用いて説明する。
トラバースシャーシ１５０を図示しない調整用基台に設置し、調整用の回転ディスクである基準ディスク１をスピンドルモータ１００のターンテーブル１１０に載せる。ディスククランパ１３０により、ディスク１とターンテーブル１１０を固定することで、該ディスク１は、スピンドルモータ１００と一体となり、所定の回転数で回転する。
【００１３】
光ピックアップ１６０により、読み出されたＲＦ信号品質を示すジッタ値をモニターしながら、まずは、Ｔａ（＋）方向にディスクの回転面を倒すために、調整用ビス２４０をねじ込んでいく。もし、ジッタ値が良好とならず、増加傾向を示すようであれば、逆に、Ｔａ（−）方向にディスク１の回転面を倒すために、調整用ビス２４０を抜き取る方向に回す。
【００１４】
次に、Ｒａ（＋）方向にディスク１の回転面を倒すために、調整用ビス２３０をねじ込んでいく。もし、ジッタ値が良好とならず、増加傾向を示すようであれば、逆に、Ｒａ（−）方向にディスク１の回転面を倒すために、調整用ビス２３０を抜き取る方向に回す。
以上で、スピンドルモータ１００の回転軸と、光ピックアップ１６０のガイド軸１７０が形成する仮想平面との相対角度調整は終了である。
【００１５】
次は、ディスク１の高さ調整を行なうが、その調整方法の一例を図３、図４を用いて説明する。
基準ディスク１を回転させたまま、半径４０ｍｍ近傍のディスク裏面高さを、非接触変位計等にて、さらに基準ディスク１裏面の傾斜方向を、オートコリメータ等にて、それぞれモニターしながら、２本の調整ビス２３０，２４０と、チルト調整では動かさなかった特殊ビス２２０、計３本のビスを調整して、傾斜方向を保持しながら（３本のビスを等量回す事）半径４０ｍｍ近傍のディスク裏面高さが、設計センター値となるように調整する。
【００１６】
以上の様に、３本のビスを用いて、Ｔａ方向、Ｒａ方向、及び高さ方向の調整を行なっていた。
【００１７】
【特許文献１】
特開２００１−７６３５２号公報
【００１８】
【発明が解決しようとする課題】
前述の通り、従来の調整方法においては、ディスクの相対角度の調整終了後、ディスク裏面高さを調整するが、その際、相対角度調整用のビス２本を含む、３本のビスを等量回す事により、傾斜方向を保持しながら設計センター値となるように調整していた。
【００１９】
しかし、この調整方法では、３本のビスが正確に等量回らなければ、せっかく調整した相対角度がずれてしまう、というデメリットがあった。現実的には、人による作業の中で、正確に３本のビスを等量回す事は不可能であり、高さ調整後のディスクの傾斜方向ずれを、オートコリメータ等にて、正確にモニターしながら、傾斜方向のずれを修正しながら作業を行なっていたため、作業がかなり難しい内容となっていた。
【００２０】
本発明は、このような点に鑑みてなされたものであり、製造コストをアップさせる事なく、組立て時の精度アップと作業の簡素化を、同時に実現させる事が可能なディスク装置を提供することを目的とする。
【００２１】
【課題を解決するための手段】
本発明は、回転ディスクを保持するターンテーブルを備え、所定の回転数で該ディスクを回転させるスピンドルモータと、前記ディスクに記録された信号を読み出したり、信号を書き込んだりする光ピックアップと、前記光ピックアップをディスク半径方向に自在に移動させる案内手段と、前記スピンドルモータの回転軸と前記案内手段が形成する仮想平面との相対角度調整、及びスピンドルモータのターンテーブル面の絶対高さ調整を行なう調整機構とを備え、
前記ターンテーブル調整手段は、前記スピンドルモータを取り付けるモータ取付け板と、モータ高さ調整板と、上記モータ取付け板の位置決め用案内ボスを有するトラバースシャーシと、第１の圧着スプリングを介して前記モータ取付け板と前記モータ高さ調整板に螺合するチルト調整用のビスと、第２の圧着スプリングを介して前記モータ高さ調整板と前記トラバースシャーシを螺合する高さ調整用のビスとを備えたことを特徴とする。
【００２２】
ここで、前記モータ取付け板と前記モータ高さ調整板に、互いに係合し合う円すい形状を有する位置決め用絞りパンチを設けたことを特徴とする。
【００２３】
本発明においては、従来と比べて調整ビスの本数を増やすことなく、ディスクの相対角度調整用ビスと高さ調整用ビスをそれぞれ設けて、それぞれの調整機構を独立させた構造とし、別々に調整することにより、製造コストをアップさせる事なく、組立て時の精度アップと作業性の向上を同時に実現させる事が可能となる。
【００２４】
【発明の実施の形態】
以下に、本発明のディスク装置の実施形態について、図１、図２と共に説明する。
【００２５】
図１において、回転ディスク１は、図示しないディスク誘導機構により、スピンドルモータ１０のターンテーブル１１に載せられた後、図示しないマグネット等により発生する吸引力により、ディスククランパ１３と該ターンテーブル１１の間で挟まれた状態で、スピンドルモータ１０と一体となって回転する。
【００２６】
スピンドルモータ１０は、モータ取付け板１４に対して、強固に取り付けられており、後述する調整機構を介して、高さ調整板５０に固定されている。更に、該高さ調整板５０は高さ調整ビス２６によって、トラバースシャーシ１５に固定されている。
【００２７】
光ピックアップ１６のディスク半径方向移動の案内を行なう２本のガイド軸１７は、４本の固定ビス１８によりトラバースシャーシ１５に取付け固定されている。この構造により、光ピックアップ１６は、該ガイド軸１７に沿って、光ピックアップ送り手段１９により駆動され、ディスク半径方向に自在に移動する。
【００２８】
調整機構の構造につき、図２を用いて説明する。
調整機構は、円すい形状の位置決め用絞りパンチ１４ｄを有するモータ取付け板１４、位置決めピン２１、２本の角度調整用ビス２３，２４、２個の圧縮スプリング２５、高さ調整板５０、１本の高さ調整用ビス２６、１個の高さ調整用圧縮スプリング２７で構成されている。
【００２９】
位置決めピン２１は、トラバースシャーシ１５の所定位置に、カシメ等により取付け固定されている。モータ取付け板１４には、円すい形状を有する位置決め用絞りパンチ１４ｄ、位置決め用溝１４ｂ、２個の調整用ネジ穴１４ｃが設けられている。
【００３０】
モータ取付け板１４と、高さ調整板５０間には、２個の圧縮スプリング２５が挟まれており、調整範囲内で所定の予圧を発生するように、そのばね定数が適度に設定されている。２個の該スプリング２５、及び、位置決め用絞りパンチ１４ｄの先端により、モータ取付け板１４が２本のビス２３，２４、の頭部に押し付けられる事で姿勢の安定が図られている。こうして、角度調整用ビス２３，２４が、モータ取付け板１４と高さ調整板５０の間に圧縮スプリング２５を挟んでそれぞれに螺合する。
【００３１】
又、図２に示すように、モータ取付け板１４には、調整用ビス２３（２４）用のハーフパンチ形状を有する調整用ネジ穴１４ｃが２個所設けられており、その中央には、絞りタップ部が設けられている。又、高さ調整板５０は、高さ調整用ビス２６、及び適度なばね定数に設定された高さ調整用スプリング２７によって、トラバースシャーシ１５に固定される。すなわち、高さ調整用ビス２６は、高さ調整板５０とトラバースシャーシ１５の間に高さ調整用圧着スプリング２７を挟んでそれぞれに螺合する。
【００３２】
本実施形態による調整機構の動作につき、図１、図２を用いて説明する。
トラバースシャーシ１５を図示しない調整用基台に設置し、調整用の基準ディスク１をスピンドルモータ１０のターンテーブル１１に載せる。ディスククランパ１３により、ディスク１とターンテーブル１１を固定することで、該ディスク１は、スピンドルモータ１０と一体となり、所定の回転数で回転する。
【００３３】
光ピックアップ１６により、読み出されたＲＦ信号品質を示すジッタ値をモニターしながら、まずは、Ｔａ（＋）方向にディスクの回転面を倒すために、調整用ビス２４をねじ込んでいく。もし、ジッタ値が良好とならず、増加傾向を示すようであれば、逆に、Ｔａ（−）方向にディスク１の回転面を倒すために、調整用ビス２４を抜き取る方向に回す。ここで、円すい形状を有する位置決め用絞りパンチ１４ｄの先端は、高さ調整板５０に設けられた円すい状の凹５０ａと係合し、位置決め、及び該角度調整時（Ｔａ方向，Ｒａ方向）の回転支点となる。
【００３４】
次に、Ｒａ（＋）方向にディスク１の回転面を倒すために、調整用ビス２３をねじ込んでいく。もし、ジッタ値が良好とならず、増加傾向を示すようであれば、逆に、Ｒａ（−）方向にディスク１の回転面を倒すために、調整用ビス２３を抜き取る方向に回す。
【００３５】
以上で、スピンドルモータ１０の回転軸と、光ピックアップ１６のガイド軸１７が形成する仮想平面との相対角度調整は終了である。
【００３６】
次は、ディスク１の高さ調整を行なうが、その調整について図１、図２を用いて説明する。
基準ディスク１を回転させたまま、半径４０ｍｍ近傍のディスク裏面高さを、非接触変位計等にて、モニターしながら、高さ調整用ビス２６を設計センター値になるように調整する。
【００３７】
以上の様に、ディスクの相対角度調整用ビスと、高さ調整用ビスをそれぞれ設けて、それぞれの調整機構を独立させた構造とする。
【００３８】
【発明の効果】
以上のように、本発明のディスク装置によれば、ディスクの相対角度調整用ビスと高さ調整用ビスをそれぞれ設けて、それぞれの調整機構を独立させた構造とし、別々に調整するので、製造コストをアップさせる事なく、組立て時の精度アップと作業性の向上を、同時に実現させる事が可能となる。
【図面の簡単な説明】
【図１】本発明のディスク装置の一実施形態を示す概略説明図である。
【図２】本発明の調整機構の一実施形態を示す説明図である。
【図３】従来のディスク装置を示す概略説明図である。
【図４】従来の調整機構を示す説明図である。
【図５】従来の調整ビス挿入部断面図である。
【符号の説明】
１  回転ディスク
１０  スピンドルモータ
１４  モータ取付け板
１５  トラバースシャーシ
２３，２４  角度調整用ビス
２５  圧縮スプリング
２６  高さ調整用ビス
２７  高さ調整用圧縮スプリング
５０  高さ調整板
【図１】
2004310946.tif 000003
【図２】
2004310946.tif 000004
【図３】
2004310946.tif 000005
【図４】
2004310946.tif 000006
【図５】
2004310946.tif 000007